(57)【要約】【課題】自然光、人工光に限らず、栽培される植物に対して光を効果的に照射できるインテリア装置を提供する。【解決手段】インテリア装置１は、植物が植えられる栽培トレイ３と、栽培トレイ３に向けて光を照射する照明装置５と、照明装置を支持する枠体７とを備え、枠体７は、栽培トレイ３の蓋部１２に対向する位置に配置された天井部４６と、栽培トレイ３の側部１８側に配置された側部４２，４４とを有し、天井部４６及び側部４２，４４は、光に対する遮蔽性を有すると共に、栽培トレイ３に向けて光を反射する反射面を有している。【選択図】図１
2014161291.tif 000002
【特許請求の範囲】
【請求項１】
植物が植えられる栽培部と、
前記栽培部に向けて光を照射する光源と、
前記光源を支持する支持部と、を備え、
前記支持部は、
前記栽培部の上側に対向する位置に配置された天井部と、
前記栽培部の横側に配置された側部と、を有し、
前記天井部及び前記側部は、前記栽培部に向けて前記光を反射する反射面を有している、インテリア装置。
【請求項２】
前記支持部は、前記天井部と対向する位置に前記栽培部が載置される載置部を備え、前記天井部、前記側部及び前記載置部が一体的に構成されている、請求項１記載のインテリア装置。
【請求項３】
前記側部は、前記栽培部を挟んで対向して一対配置されており、
一対の前記側部の内面が前記反射面である、請求項１又は２記載のインテリア装置。
【請求項４】
前記支持部は、前記栽培部を取り囲む枠状体をなしており、
前記枠状体は、少なくとも一つの開口部を有している、請求項３記載のインテリア装置。
【請求項５】
前記天井部の内面又は一対の前記側部の前記内面は、湾曲面により連続している、請求項３又は４記載のインテリア装置。
【請求項６】
前記栽培部は、
液体を貯留すると共に上端側が開口する開口部を有する貯留部と、
前記貯留部の前記開口部を覆う蓋部と、を有し、
前記貯留部及び前記蓋部は、前記栽培部の内部に光が透過することを妨げる遮蔽性を有し、
前記蓋部の表面は光を反射する反射面である、請求項１〜５のいずれか一項記載のインテリア装置。
【請求項７】
前記蓋部は、
前記植物を植え込むための培地を収容する培地ポットが取り付けられる貫通孔と、
当該蓋部の裏面から延び、前記貯留部に取り付けられた状態で当該貯留部内に収容される脚部と、を有する、請求項６記載のインテリア装置。
【請求項８】
前記蓋部は、前記貫通孔を取り囲み且つ前記裏面から延びる筒状部を有する、請求項７記載のインテリア装置。
【発明の詳細な説明】
【技術分野】
【０００１】
本発明は、インテリア装置に関する。
【背景技術】
【０００２】
従来のインテリア装置として、例えば特許文献１に記載されたものが知られている。特許文献１に記載のインテリア装置は、植物を栽培する機能を有しており、培土が収容された栽培ベッドと、栽培ベッドの上方に配置された照明装置と、栽培空間を画成する透明カバーと、を備えている。
【先行技術文献】
【特許文献】
【０００３】
【特許文献１】特開昭６３−２５１０２１号公報
【発明の概要】
【発明が解決しようとする課題】
【０００４】
植物を効果的に栽培するためには、植物における光合成を促すために、植物により多くの光を照射することが必要となる。従来のインテリア装置では、透明カバーにより栽培空間が画成されているため、照明装置から照射された光が透明カバーを透過する。そのため、従来のインテリア装置では、栽培される植物に対して反射面から到達する光を効果的に照射できていなかった。
【０００５】
本発明は、自然光、人工光に限らず、栽培される植物に対して光を効果的に照射できるインテリア装置を提供することを目的とする。
【課題を解決するための手段】
【０００６】
本発明に係るインテリア装置は、植物が植えられる栽培部と、栽培部に向けて光を照射する光源と、光源を支持する支持部と、を備え、支持部は、栽培部の上側に対向する位置に配置された天井部と、栽培部の横側に配置された側部と、を有し、天井部及び側部は、栽培部に向けて光を反射する反射面を有している。
【０００７】
このインテリア装置では、天井部及び側部は、その表面に到達する光線を反射する反射性を有している。これにより、インテリア装置では、自然光、人工光に限らず、光源から照射された光は天井部及び側部の表面を透過させず、天井部及び側部は、栽培部に向けて光を反射する反射面となる。したがって、インテリ装置では、光源から直接に照射される光と、天井部及び側部を反射面として反射された光とが、栽培部に向かって照射される。その結果、インテリア装置では、栽培される植物に対して自然光、人工光に限らず、光源から放射される光を集めて効果的に照射することができる。これにより、インテリア装置では、植物の光合成を促すことができ、植物の成長を促進し、効果的に育てることができる。
【０００８】
一実施形態においては、支持部は、天井部と対向する位置に栽培部が載置される載置部を備え、天井部、側部及び載置部が一体的に構成されていてもよい。この構成により、インテリア装置では、載置部に栽培部を載置した状態で持ち運ぶことができる。したがって、インテリア装置では、ハンドリング性の向上を図ることができる。
【０００９】
一実施形態においては、側部は、栽培部を挟んで対向して一対配置されており、一対の側部の内面が反射面であってもよい。この構成により、インテリア装置では、載置部に向かってより多くの光を照射することができる。
【００１０】
一実施形態においては、支持部は、栽培部を取り囲む枠状体をなしており、枠状体は、少なくとも一つの開口部を有していてもよい。この構成により、インテリア装置では、載置部の取り外し及び設置を良好に行うことができる。
【００１１】
一実施形態においては、天井部の内面又は一対の側部の内面は、湾曲面により連続していてもよい。この構成により、インテリア装置では、天井部と側部との連結部分において光が収束することを抑制でき、光をより効果的に載置部に向けて反射できる。
【００１２】
一実施形態においては、栽培部は、液体を貯留すると共に上端側が開口する開口部を有する貯留部と、貯留部の開口部を覆う蓋部と、を有し、貯留部及び蓋部は、栽培部の内部に光が透過することを妨げる遮蔽性を有し、蓋部の表面は光を反射する反射面であってもよい。インテリア装置では、栽培部において、水耕栽培を行う。水耕栽培では、貯留部に貯留された液体に光が照射されると、栽培部の中で藻等が発生するおそれがある。これに対して、インテリア装置では、貯留部及び蓋部を構成する面材が光に対して遮蔽性を有しているため、貯留部の液体に光が進入することを妨げて、栽培部の内部に光が照射されることを防止でき、藻の発生を抑制できる。また、インテリア装置では、蓋部の表面が反射面とされているため、光源から照射された光を蓋部で反射して、植物に対して下方からも光を照射することができる。
【００１３】
一実施形態においては、蓋部は、植物（種子又は発芽した植物の根）を植え込むための培地を収容する培地ポットが取り付けられる貫通孔と、当該蓋部の裏面から延び、貯留部に取り付けられた状態で当該貯留部内に収容される脚部と、を有していてもよい。この構成により、インテリア装置では、貫通孔に培地ポットを挿し込む構成であるため、培地ポットの着脱を容易に行える。また、インテリア装置では、蓋部を貯留部から取り外したときに、培地ポットを取り付けた状態で蓋部を載置できる。したがって、インテリア装置では、メンテナンス性の向上を図れる。
【００１４】
一実施形態においては、蓋部は、貫通孔を取り囲み且つ裏面から延びる筒状部を有していてもよい。この構成により、インテリア装置では、貫通孔から貯留部内に光が差し込むことを抑制できる。
【発明の効果】
【００１５】
本発明によれば、自然光、人工光に限らず、栽培される植物に対して光を集めて効果的に照射できる。
【図面の簡単な説明】
【００１６】
【図１】一実施形態に係るインテリア装置を示す斜視図である。
【図２】図１に示すインテリア装置を下方から見た斜視図である。
【図３】図１に示すインテリア装置を卓上等に配置したときの正面図である。
【図４】栽培トレイを示す分解斜視図である。
【図５】蓋部及び培地を示す斜視図である。
【図６】（ａ）は栽培トレイを上方から見た図であり、（ｂ）は（ａ）におけるｂ−ｂ線での断面構成を示す図である。
【図７】枠体を示す斜視図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
図１は、一実施形態に係るインテリア装置を示す斜視図である。図２は、図１に示すインテリア装置を下方から見た斜視図である。図３は、図１に示すインテリア装置を卓上等に配置したときの正面図である。以下の説明では、図３に示すインテリア装置１の上下及び左右を、「上」、「下」、「左」、「右」とする。
【００１９】
図１〜図３に示すインテリア装置１は、植物を室内で水耕栽培するための卓上型の装置である。インテリア装置１は、植物を栽培するための機能を有していると共に、室内の装飾品としての機能を有している。インテリア装置１で栽培される植物としては、例えばハーブ系の植物（バジル、パセリ等）を一例として挙げることができる。
【００２０】
図１及び図２に示すように、インテリア装置１は、栽培トレイ（栽培部）３と、照明装置（光源）５と、枠体（支持部、載置部）７と、を備えている。
【００２１】
図４は、栽培トレイを示す分解斜視図である。図５は、蓋部及び培地を示す斜視図である。図６（ａ）は、栽培トレイを上方から見た図であり、図６（ｂ）は、図６（ａ）におけるｂ−ｂ線での断面構成を示す図である。
【００２２】
栽培トレイ３は、植物の種子又は発芽した植物の根が植え込まれる。栽培トレイ３は、貯留部１０と、蓋部（上部）１２と、培地ポット１４と、を有している。
【００２３】
貯留部１０は、液体（本実施形態では養水）を貯留する。貯留部１０は、光に対して遮蔽性を有する（光を透過しない）材料から形成されている。本実施形態では、貯留部１０は、白色とされている。貯留部１０は、底部１６と、底部１６の縁部から上方に延びる側部１８と、を有している。貯留部１０は、上端側が開口しており、側部１８により開口部１８ａが形成されている。側部１８は、図３に示すように、略台形形状を呈しており、上方に向かって広がっている。貯留部１０の形状は、特に限定されない。貯留部１０には、水温を表示する温度シール１５が設けられていている。
【００２４】
図４、図５及び図６に示すように、蓋部１２は、貯留部１０の開口部１８ａを覆うと共に、貯留部１０に対して着脱可能に設けられている。蓋部１２は、本体部２０と、脚部２２ａ，２２ｂ，２２ｃ，２２ｄと、突出部２４ａ，２４ｂと、を有している。
【００２５】
本体部２０は、貯留部１０の開口部１８ａを覆う。本体部２０は、貯留部１０の開口部１８ａに対応する形状とされている。本体部２０は、光に対して遮蔽性を有する材料から形成されている。蓋部１２は、明度が０以外、すなわち黒色以外の色とされており、本実施形態では白色とされている。本体部２０（蓋部１２）の表面２０ａは、平坦面であり、光を反射する反射面とされている。表面２０ａの光の反射率は、例えば５０〜１００％である。
【００２６】
本体部２０には、貫通孔２６が設けられている。貫通孔２６は、培地ポット１４が挿入されて取り付けられる部分であり、略円形形状を呈している。貫通孔２６は、本体部２０の長手方向（図６の左右方向）に沿って所定の間隔を空けて複数（本実施形態では３つ）配置されている。貫通孔２６の数量・配置は、特に限定されない。
【００２７】
本体部２０には、筒状部３０が設けられている。筒状部３０は、貫通孔２６を取り囲み、本体部２０の裏面２０ｂから突出している。筒状部３０の長さは、設計に応じて適宜設定される。筒状部３０は、本体部２０と同じく、光に対して遮蔽性を有する材料から形成されている。筒状部３０は、本体部２０と同材で一体的に成型されていてもよい。
【００２８】
脚部２２ａ〜２２ｄは、蓋部１２を卓上等に置くときに本体部２０を水平面に支持するものである。例えば、水耕栽培の植物の育成において養水液を取り換える際に、蓋部１２を一時的に貯留部１０から取り外して作業するとき等の利便性を向上させるものである。脚部２２ａ〜２２ｄは、本体部２０の裏面２０ｂから延びている。脚部２２ａ〜２２ｄは、本体部２０の長手方向の両端部側にそれぞれ複数（本実施形態では２つずつ）設けられている。脚部２２ａ〜２２ｄの長さは、貯留部１０に蓋部１２が取り付けられた状態で貯留部１０内に収納される長さで、且つ、蓋部１２に培地ポット１４が取り付けられたときの培地ポット１４の下端部よりも長く設定されている。
【００２９】
突出部２４ａ，２４ｂは、本体部２０の長手方向において対向する位置に一対配置されている。突出部２４ａ，２４ｂは、本体部２０から斜め上方に突出して設けられている。突出部２４ａ，２４ｂは、蓋部１２を着脱するときに、手指で掴む部分である。
【００３０】
培地ポット１４は、植物の種子又は根を植え込む培地（図示しない）を収容する部材である。培地は、例えば、ウレタン樹脂、繊維等の土壌を代替するものを充填して束ねられて構成されている。培地ポット１４は、蓋部１２の貫通孔２６に挿入され、貫通孔２６に保持される。
【００３１】
培地ポット１４には、栽培部１０の蓋部１２に設けられた貫通孔２６に挿入したときに、貫通孔２６の孔径より大きな頸部を有する、すり鉢状のつば１４ａが引っ掛かり、貫通孔２６の下側に落下することなく配置される。蓋部１２の上側は、このつば１４ａが見える状態となる。つば１４ａは、光に対して遮蔽性を有する材料から形成されている。つば１４ａは、光を反射する反射面とされている。反射面の光の反射率は、例えば５０〜１００％である。つば１４ａは、明度が０以外、すなわち黒色以外の色とされており、本実施形態では白色とされている。
【００３２】
図２に戻って、人工光源である照明装置５は、栽培トレイ３に向かって光を照射する。照明装置５は、例えばＬＥＤ（Light Emitting Diode）である。照明装置５は、例えば波長が４４０ｎｍ及び６６０ｎｍを含む波長領域で光強度が高くなる光スペクトル特性を有している。照明装置５は、複数（本実施形態では３つ）設けられており、後述する枠体７の天井部４６の長手方向（図３における左右方向）に沿って一列に配置されている。照明装置５は、蓋部１２の本体部２０の表面２０ａの略全面に光を照射する。照明装置５は、図示しない制御装置を有して電源に接続されており、制御装置によりスイッチのオン及びオフ（点灯及び消灯）が制御される。照明装置５の点灯時間は、外部環境における季節ごとの日照時間を考慮して設定する。
【００３３】
図７は、枠体を示す斜視図である。枠体７は、栽培トレイ３が載置される載置部４０を有すると共に、照明装置５を支持する支持部を有する。枠体７は、載置部４０と、支持部である一対の側部４２，４４と、天井部４６と、を有している。載置部４０、一対の側部４２，４４及び天井部４６は、明度が０以外、すなわち黒色以外の色とされており、本実施形態では白色である。載置部４０、一対の側部４２，４４及び天井部４６の幅（図３の奥行方向の寸法）は、略同等とされており、栽培トレイ３の幅（図６（ａ）の上下方向の寸法）以上とされている。
【００３４】
枠状体である枠体７は、卓上等に配置して正面から見たときに、上辺、左右の側辺、下辺を有する環状に形成され、下辺に載置部４０を設け、左右の側辺に一対の側部４２，４４を設け、及び上辺に天井部４６を設け、プラスチック樹脂等で一体的に成型されている。枠体７のボディは、環状の中空構造をなしている。正面側と背面側から見たときに外側形状及び内側形状が略矩形形状を呈して所定の見付け幅（厚み）と正面から背面に向かう奥行方向に所定の奥行幅を有する。
【００３５】
また、枠体７は、１つの立法体として捉えることができ、上面が天井部、下面が載置部、左側面、右側面が一対の側部に相当する。正面と背面は、面材が存在せずに開口部７ａ及び開口部７ｂを有している。また、枠体７は、下面の載置部４０に栽培トレイ３を内包し、栽培トレイ３は、上記した環状の枠体７に囲まれて枠体７の内部に収容されることで、枠体７の内部には植物が栽培される栽培空間Ｓが画成されている。
【００３６】
載置部４０には、栽培トレイ３が載置される。載置部４０は、枠材７の下部を構成する環状の中空構造の部材である。載置部４０は、位置決め部４１を有している。位置決め部４１は、栽培トレイ３を載置部４０に嵌め込むことにより枠体７に固定する（すなわち、枠体７における栽培トレイ３の位置決めを行う）部分であり、栽培トレイ３の長手方向と載置部４０の長手方向（図３の左右方向）とが同じ方向となって栽培トレイ３が配置されるように設けられている。位置決め部４１は、栽培トレイ３の底部１６の輪郭形状に合わせて、載置部４０の載置面４０ａから上方に向けて環状に突設された環状突起の形状をなしている。
【００３７】
位置決め部４１（環状突起）に栽培トレイ３が嵌め込まれたときは、底部１６の底縁が環状突起内に内挿されて嵌め込まれる。栽培トレイ３の貯留部１０の底部１６は、位置決め部４１内に配置される。これにより、栽培トレイ３は、載置部４０において位置決めされ、水平方向等への移動が規制されるので、枠体７から容易にはずれることがない。載置部４０の下面４０ｂ（インテリア装置１が載置される面と対向する面）には、滑り止め部材４５が設けられている。
【００３８】
一対の側部４２，４４は、載置部４０の両端からそれぞれ上方に延び、互いに対向して配置されている。側部４２，４４は、湾曲した形状であり、枠材７の左右側部を構成する環状の中空構造の部材である。一対の側部４２，４４は、栽培トレイ３が載置部４０に載置されたときに、栽培トレイ３の側部１８側に配置される。側部４２，４４の内側の表面（側部４２，４４の内面４２ａ，４４ａ）は、光を反射する反射面とされている。内面４２ａ，４４ａの反射率は、例えば５０〜１００％である。側部４２，４４と載置部４０との連結部分において、側部４２，４４の内面４２ａ，４４ａと載置部４０の載置面４０ａとは、所定の曲率を有する湾曲面Ｃ１，Ｃ２により滑らかに連続している。
【００３９】
天井部４６は、上記一対の側部４２，４４の上端部を連結して水平方向に設けられ、枠材７の上部を構成する環状の中空構造の部材ある。天井部４６には、照明装置５が内蔵されている。すなわち、環状の中空構造の中に照明装置５を埋め込んで保持している。天井部４６は、載置部４０と対向する位置、すなわち載置部４０に載置された栽培トレイ３（蓋部１２）と対向する位置に配置されている。すなわち、照明装置５は、栽培トレイ３の上方から光を照射する。天井部４６は、栽培トレイ３の蓋部１２との距離（間隔）が例えば２００ｍｍ程度の高さ位置に配置されるが、栽培トレイ３の蓋部１２との距離は、植物に対する人工光源の光量子の濃度を確保するために適宜設定すればよい。
【００４０】
天井部４６の内側の表面（内面４６ａ）は、光を反射する反射面とされている。内面４６ａの反射率は、例えば５０〜１００％である。天井部４６と側部４２，４４との連結部分において、天井部４６の内面４６ａと側部４２，４４の内面４２ａ，４４ａとは、所定の曲率を有する湾曲面Ｃ３，Ｃ４により滑らかに連続している。
【００４１】
天井部４６の外側の表面（上面４６ｂ）には、複数の放熱スリット４８が設けられている。放熱スリット４８は、照明装置５から発生する熱を放散する部分である。放熱スリット４８は、天井部４６の上面４６ｂにおいて、所定の間隔をあけて配置されている。
【００４２】
以上説明したように、本実施形態のインテリア装置１では、環状ボディの枠体７の表面が光を透過させない明度の色で仕上がり不透過性と反射性を有している。これにより、インテリア装置１では、照明装置５から照射された光は、枠体７の側部４２，４４の内面４２ａ，４４ａ及び天井部４６の内面４６ａを透過せず、光を反射する反射面として機能する。これにより、インテリア装置１では、照明装置５から照射される直達光と、側部４２，４４の内面４２ａ，４４ａ及び天井部４６の内面４６ａで反射された反射光とが、栽培トレイ３に向かって照射される。したがって、インテリア装置１では、自然光、人工光に限らず、栽培される植物に対して光を効果的に集めて照射することができる。その結果、インテリア装置１では、植物の光合成を促すことができ、植物の成長を促進し、効果的に育てることができる。
【００４３】
本実施形態では、栽培トレイ３の蓋部１２の表面２０ａは、光を反射する反射面とされている。したがって、インテリア装置１では、照明装置５から照射された光を蓋部１２で反射して、植物に対して下方から反射光を照射することができる。
【００４４】
本実施形態では、枠体７の載置部４０に栽培トレイ３が載置部４０に嵌め込まれて枠体７に固定されている。これにより、インテリア装置１では、枠体７と栽培トレイ３とを一体化され、枠体７から栽培トレイ３がはずれることなく持ち運びをすることができる。したがって、インテリア装置１では、ハンドリング性の向上を図ることができる。
【００４５】
本実施形態では、枠体７は、正面と背面に開口部７ａ，７ｂを有している。これにより、インテリア装置１では、栽培トレイ３で栽培される植物を良好に観賞できると共に、枠体７において栽培トレイ３の取り出し及び設置を良好に行うことができメンテナンス性の向上が図れる。
【００４６】
本実施形態では、側部４２，４４の内面４２ａ，４４ａと載置部４０の載置面４０ａとが湾曲面Ｃ１，Ｃ２により連続していると共に、天井部４６の内面４６ａと側部４２，４４の内面４２ａ，４４ａとが湾曲面Ｃ３，Ｃ４により連続している。これにより、インテリア装置１では、各部の連結部分において光が収束することを抑制でき、栽培トレイ３に向かって反射光をより効果的に集めることができる。
【００４７】
本実施形態では、栽培トレイ３の貯留部１０及び蓋部１２は、光に対する遮蔽性を有している。貯留部１０に貯留される養水は、光が照射されると、藻等が発生することがある。本実施形態では、貯留部１０及び蓋部１２が光に対する遮蔽性を有しているため、貯留部１０に貯留された養水に藻等が発生することを抑制できる。これにより、栽培トレイ３の内部の汚れを防止できる。
【００４８】
本実施形態では、蓋部１２の本体部２０に、筒状部３０が設けられている。本体部２０と同様に筒状部３０も光に対する遮蔽性を有している。これにより、インテリア装置１では、貫通孔２６から斜めに入射する光を筒状部３０により遮蔽できる。したがって、インテリア装置１では、栽培トレイ３の貯留部１０内に光が差し込むことを抑制できる。したがって、インテリア装置１では、貯留部１０の養水に藻等が発生することをより確実に抑制できる。これにより、栽培トレイ３の内部の汚れを防止できる。
【００４９】
本発明は、上記実施形態に限定されるものではない。例えば、上記実施形態では、枠体７の外側形状及び内側形状が略矩形形状を呈する構成を一例に説明したが、枠体の外側形状及び内側形状は特に限定されない。
【００５０】
上記実施形態では、照明装置５を天井部４６に取り付けた構成を一例に説明したが、照明装置５は、例えば側部４２，４４に取り付けられていてもよい。
【００５１】
上記実施形態では、枠体７が開口部７ａ，７ｂを有し、枠体７が両側に開口している構成を一例に説明したが、枠体は、一方が閉塞した構成であってもよい。枠体は、少なくとも、栽培トレイ３の取り替えを行える開口が設けられていればよい。
【００５２】
上記実施形態では、枠体７が環状の構成を一例に説明したが、枠体は、例えばＵ字形状やＬ字形状を呈していてもよい。枠体がＵ字形状を呈している場合には、栽培トレイ３が枠体に載置されていてもよいし、栽培トレイ３を覆うように枠体が配置されてもよい。
【００５３】
上記実施形態では、側部４２，４４の内面４２ａ，４４ａ及び天井部４６の内面４６ａが反射面とされている構成を一例に説明したが、側部４２，４４及び天井部４６の内側に反射率の高い（例えば、反射率が５０〜１００％）シート等の部材を配置してもよい。
【００５４】
上記実施形態では、栽培トレイ３において水耕栽培を行う構成を一例に説明したが、栽培トレイでは、土壌栽培を行ってもよい。
【符号の説明】
【００５５】
１…インテリア装置、３…栽培トレイ（栽培部）、５…照明装置（光源）、７…枠体（支持部、載置部）、７ａ，７ｂ…開口部、１０…貯留部、１２…蓋部、１４…培地ポット、１８…側部、１８ａ…開口部、２０ａ…表面、２０ｂ…裏面、２２ａ〜２２ｄ…脚部、２６…貫通孔、３０…筒状部、４０…載置部、４２，４４…側部、４２ａ，４４ａ…内面（反射面）、４６…天井部、４６ａ…内面（反射面）。
【図１】
2014161291.tif 000003
【図２】
2014161291.tif 000004
【図３】
2014161291.tif 000005
【図４】
2014161291.tif 000006
【図５】
2014161291.tif 000007
【図６】
2014161291.tif 000008
【図７】
2014161291.tif 000009